(57)【要約】【課題】  移動端末によって受信可能なデジタル放送システムにおいて、適切な番組を移動体端末に提示することができる技術を提供する。【解決手段】  ステップＳ３００１において、移動端末は放送データを受信する。次にステップＳ３００２において、測位情報を取得し、自己の位置情報を得る。次に、ステップＳ３００３において、取得した位置情報を利用して、受信した放送データから端末に表示するコンテンツ（映像又は音声又はデータ放送又はそれらを組み合わせたもの）のうち適切なコンテンツを選択する。次にステップＳ３００４において、選択されたコンテンツを移動端末に提示する。以上の処理に基づいて、放送局から放送された複数のコンテンツ（映像又は音声又はデータ放送又はそれらを組み合わせたもの）を受信し、測位情報に基づいて、上記受信したそれらのコンテンツのうちからユーザにとって適切と推定される所望のコンテンツを選択して端末に提示する。【選択図】  図８
2006229867.tif 000002
【特許請求の範囲】
【請求項１】
複数のコンテンツを提供することが可能な放送システムと、前記コンテンツを受信し提示することができる受信端末と、該受信端末の位置を測位することができる測位システムと、を有しており、
該測位システムにより測定された前記受信端末の位置情報に基づいて、前記複数の放送データから受信端末に提示するコンテンツを選択する機能を有することを特徴とするマルチ放送システム。
【請求項２】
選択の対象となる前記放送コンテンツは、複数のページを表示するデータ放送又は複数の映像又は複数の音声又はそれらを組み合わせたコンテンツであることを特徴とする請求項１に記載のマルチ放送システム。
【請求項３】
前記放送システムはディジタル地上波放送システム又は衛星を利用したディジタル放送システムのいずれかであることを特徴とする請求項１又は２に記載のマルチ放送システム。
【請求項４】
前記受信端末の位置を測位することができる測位システムが、GPS又はDGPSを含むことを特徴とする請求項１から３までのいずれか１項に記載のマルチ放送システム。
【請求項５】
前記受信端末の位置を測位することができる測位システムが、該受信端末と、該受信端末と通信を行う基地局との位置関係により測位することを特徴とする請求項１から３までのいずれか１項に記載のマルチ放送システム。
【請求項６】
前記受信端末に表示させるコンテンツを決定するための方法が前記放送システムから放送されるデータ放送中に記述されていることを特徴とする請求項１から５までのいずれか１項に記載のマルチ放送システム。
【請求項７】
前記データ放送は、BMLにより記載されていることを特徴とする請求項６に記載のマルチ放送システム。
【請求項８】
前記コンテンツの内容中に受信位置により異なる放送内容にすることが好ましい複数のコンテンツが含まれているか否かを判定する判定手段と、
該判定手段により含まれていると判定された場合に、取得した受信端末の位置情報に基づいて、適した放送内容を選択する手段と
を有することを特徴とする請求項１に記載のマルチ放送システム。
【請求項９】
放送の内容が施設に関連する放送であり、前記施設内における位置によって受信端末に提示する放送データを選択することを特徴とする請求項１から８までのいずれか１項に記載のマルチ放送システム。
【請求項１０】
放送の内容が競技に関連する放送であり、前記競技と関連する位置によって受信端末に提示する放送データを選択することを特徴とする請求項１から８までのいずれか１項に記載のマルチ放送システム。
【請求項１１】
受信端末によるマルチ放送の受信方法であって、
マルチ放送を受信するステップと、
位置情報を取得するステップと、
前記位置情報に基づいて前記マルチ放送中から表示するコンテンツを選択するステップと、
選択されたコンテンツを提示するステップと
を有することを特徴とするマルチ放送の受信方法。
【請求項１２】
受信端末によるマルチ放送の受信方法であって、
マルチ放送を受信するステップと、
受信端末に表示するコンテンツを利用者が指定するか否かをチェックするステップと、
利用者が指定する場合には、使用者が指定したコンテンツを選択するステップと、システムが自動で行なう場合には、位置情報を取得するステップと、
前記位置情報に基づいて前記マルチ放送中から表示するコンテンツを選択するステップと、選択されたコンテンツを提示するステップと
を有することを特徴とするマルチ放送の受信方法。
【請求項１３】
コンピュータに、請求項１１又は１２に記載のステップを実行させるためのプログラム。
【請求項１４】
複数の放送データを受信し提示することができる受信端末であって、
該受信端末の位置を測位することができる測位システムと、
該測位システムにより測定された前記受信端末の位置情報に基づいて、前記複数のコンテンツから受信端末に提示するコンテンツを選択する機能と
を有することを特徴とする受信端末。
【発明の詳細な説明】
【技術分野】
【０００１】
本発明は、マルチ放送システムの技術に関し、特に、放送局より放送される複数の映像又は音声又はデータ放送を含むコンテンツのうちから、適切なコンテンツを受信することができるマルチ放送システムに関する。
【背景技術】
【０００２】
放送のディジタル化によって、映像、音声による視聴者への情報提供だけでなく、データ放送による情報の提供がなされるようになってきた。例えば、2000年3月よりBSディジタル放送のサービスが開始され、天気、ゲーム、番組連動情報などの情報をデータ放送によって視聴者に提供するサービスを行っている。また、地上ディジタル放送が2003年12月から開始され、ここでもデータ放送により視聴者に情報提供が行われている。地上ディジタル放送では、従来のように固定された受信端末を想定した放送だけでなく、携帯電話やカーナビなどの移動端末を対象として想定した放送も予定されている。
【０００３】
これら放送のディジタル化により開始されたデータ放送は、XML（eXtended Markup Language：Extensible Markup Language(XML) 1.0, W3C Recommendation, 1998-2）とECMA Script（Standardizing Information and Communication Systems Standard ECMAScript Langunage Specification 2nd Edition, 1998-8）をベースにしたBML（Broadcasting Markup Language）を使用している。BMLはARIB（電波産業会）で標準化されている（ディジタル放送におけるデータ放送符号化方式と伝送方式（ARIB STB-B24） 4.0版, 平成16年2月） 。また、BSディジタル放送における運用規格として、ARIBより「BSディジタル放送運用規格（ARIB TR-B15）1.1版」が規格化されている。地上ディジタル放送における運用規格として、ARIBより「地上デジタルテレビジョン放送潤用規格（ARIB TR-B14）1.6版」が規格されている。
【０００４】
また、デジタル放送では伝送方式としてMPEG2-TS（IED/ISO13818-1）が用いられており、放送局側で複数の映像や音声を多重化して一つのTS（トランスポートストリーム）として伝送し、受信機側で多重化された映像や音声のうちの１つ又は複数を取り出して再生することができる。従って、デジタル放送では、放送局から多重化された映像や音声が送信され、受信機では受信した放送データから映像や音声を選択的に取り出し、必要な映像や音声を表示させることが可能となる。
【０００５】
図１１は、BMLドキュメントの例を示す図である。また、図１１のBMLドキュメントを表示した画面例を図１２に示す。データ放送として図１１に示すようなドキュメントが放送局から放送され、受信端末の表示画面上に提示される。図１１に示すドキュメントでは、表示画面に“CLICK HERE”と書かれたボタンが表示され、そのボタンを選択すると、図１１内の４００２で示された枠内の文の内容が実行され、”図１２に示す“CLICK HERE”と書かれた文字が“NO MORE CLICK”に変更される。
【０００６】
移動端末では、端末の現在位置を特定するためのシステムが実用化され、端末の位置に連動したサービスも始まっている。例えば、カーナビゲーションシステムでは、衛星を使ってGPS（Global Positioning System）によって端末の位置を正確に測位し、それをカーナビゲーションシステムが保持している地図データと連動させながら、ディスプレイに表示するシステムが実用化されている。また、GPSでは、ある理由により正確な位置を測位することができない場合があるので、より正確に測位するためにDGPS（Differential GPS）を用いた方法もある。
【０００７】
また、PHS（Personal Handy-phone System）や携帯電話では、基地局と移動局（端末）の電波強度、移動局が捕捉する基地局の位置、基地局がサポートするセルの範囲、複数の基地局と移動局との電波の伝播の時間差などの情報を使って、移動局の位置を測位するシステムが実用化又は提案されている。
【０００８】
移動端末の位置からその位置に即した情報の提供を受けるシステムとして特許文献１から特許文献３までに提案されている。
【０００９】
特許文献１では、各地域の情報を放送に多重化して送信し、受信側では位置取得装置により取得された位置情報から、放送されてきた各地域の情報をフィルタリングし受信機に表示する記載がある。
【００１０】
特許文献２では、送信された広告情報を放送により移動端末で受信し、移動端末ではその移動端末の位置情報、その他の情報で広告情報をフィルタリングして、端末のディスプレイにその広告情報を表示する記載がある。
【００１１】
特許文献３では、映像や音声などの放送データに、そのデータに関連した位置情報を同時に送信し、受信端末では、放送データを表示するとともに、位置情報をも表示する記載がある。
【特許文献１】特開2000-115724号公報
【特許文献２】特開2002-229492号公報
【特許文献３】特開2002-247530号公報
【発明の開示】
【発明が解決しようとする課題】
【００１２】
従来の放送では、例えばＴＶの野球放送でメインの音声とは別に対戦しているあるチームを応援する放送がサブ音声で流され、利用者はメイン又はサブ音声を選択することにより、好みの音声を聞くことができる。
【００１３】
しかしながら、試合が行なわれている野球場で携帯端末を使ってＴＶの野球放送を視聴しようとすると、利用者はサブ音声で特定のチームを応援する音声が流されていることを知りつつ、サブ音声を選択しなければならないなどのわずらわしさが発生する。
【００１４】
また、デジタル放送では音声だけでなく、映像、データ放送なども１つのチャネルで複数送信することが可能であるので、これを外出している先で利用者がいちいち選択することは大変なわずらわしさが伴う。
【００１５】
上記特許文献１〜３は、放送に位置情報や広告などの情報を多重化して送信し、受信端末で端末の位置情報を使って放送に多重化された情報をフィルタリングして表示する技術を開示するものである。
【００１６】
上記の技術では、利用者が多重化された複数の番組放送の中から利用者が好みに応じて希望する放送番組を選択する技術であるが、自分で選択する必要があるなどの煩わしさがあり、あまり利用されていないのが実状である。
【００１７】
本発明は、移動端末によって受信可能なデジタル放送システムにおいて、適切な番組を移動体端末に提示することができる技術を提供することを目的とする。
【課題を解決するための手段】
【００１８】
本発明に係るマルチ放送システムは、複数のページを表示するデータ放送又は複数の映像又は複数の音声又はそれらを組み合わせたコンテンツを放送データとして放送することを指す。特に、１つの対象に関して複数のコンテンツを放送することができるマルチ放送を行う放送システムと、マルチ放送を受信可能な受信端末と、を有し、受信端末の位置情報を取得しこの位置情報に基づいて、複数の放送データの中から位置に適したコンテンツを選択する機能と、を有することを特徴とする。これにより、受信端末の位置に適した放送を簡単に取得することができる。
【発明の効果】
【００１９】
本発明によれば、受信端末をターゲットとしたデジタル放送システムにおいて、受信端末の位置に基づいて、放送局から送られる複数の映像又は音声又はデータ放送又はそれらを組み合わせたものを選択して、受信端末において出力することができる。従って、ユーザは適した情報を得やすくなり、その際に操作も簡単であるという利点がある。
【発明を実施するための最良の形態】
【００２０】
本実施の形態において、マルチ放送とは、例えば、複数のページを表示するデータ放送又は複数の映像又は複数の音声又はそれらを組み合わせたコンテンツを放送データとして放送することを指す。特に、１つの対象に関して複数のコンテンツを提供し放送データとして放送することができるものを指す。
【００２１】
以下に、本発明の第１の実施の形態によるマルチ放送システムについて、図面を参照しながら説明する。図１は、本実施の形態によるマルチ放送システムの一構成例を示す機能ブロック図である。図１に示すように、本実施の形態によるマルチ放送システムＡは、放送システム１００１と受信端末１００２と、受信端末１００２に対して位置情報を提供する測位システム１００３と、を有している。放送システム１００１から各受信端末１００２に向けて、複数のデータ放送又は映像又は音声又はそれらを組み合わせたコンテンツを放送データとして送出する。受信端末１００２は移動端末であり、放送システム１００１が放送した電波を受信し、表示・再生することができる。また、測位システム１００３により、移動する受信端末１００２の位置を測位することができる。
【００２２】
本実施の形態によるマルチ放送システムＡは、ユーザ端末の位置Ｘ，Ｙ，Ｚの位置情報に基づいて、受信側の移動端末１００２で受信した又は受信可能な放送データの中から、映像又は音声又はデータ放送又はそれらを組み合わせたものを決定することができる。すなわち、図１に示したマルチ放送システムＡにより、放送されたデータを移動端末１００２で受信・表示し、測位システム１００３により移動端末１００２の位置を測位し、受信側の移動端末１００２に表示する映像又は音声又はデータ放送又はそれらを組み合わせた情報を移動端末１００２の位置によって選択することができる。
【００２３】
次に、本発明の第２の実施の形態によるマルチ放送システムについて、図面を参照しつつ説明を行う。図２に示すように、本実施の形態によるマルチ放送システムは、放送局２００３と、ディジタル地上波の電波を送出する電波塔２００４と、電波塔２００４から放送される電波を受信して放送を視聴できる移動端末２００１と、移動端末２００１に対して位置情報を提示することができるＧＰＳ衛星２００２とを有している。
【００２４】
放送局２００３から流される、データ放送又は音声又は映像又はそれらを組み合わせた複数のコンテンツは放送データとして電波塔２００４から放送される。尚、図２においては、放送局２００３、電波塔２００４は、それぞれ１つのみが示されているが、一般的には、複数の放送局、電波塔が存在する移動端末２００１は、GPSの衛星２００２からの電波を受信して移動端末２００１の位置を測位する。図２において、GPS衛星２００２は１つのみが示されているが、一般的には、複数のGPS衛星２００２が存在し、移動端末２００１はそれら複数の衛星の電波を受信して測位する。
【００２５】
図２に示すマルチ放送システムにより、放送局２００３から放送されたコンテンツを移動端末２００１が受信し、またGPS２００２を使ったシステムにより移動端末２００１の位置を測位する。携帯端末２００１の位置情報を用いて選択し、受信したコンテンツから表示するデータ放送又は映像又は音声又はそれらを組み合わせたものを表示する。尚、図２に示す例では、測位の方法としてGPSを用いた方法により描画されているが、DGPSを用いた方法でも可能である。
【００２６】
次に、本発明の第３の実施の形態によるマルチ放送システムについて図面を参照しつつ説明を行う。
【００２７】
以下に、本発明の第３の実施の形態によるマルチ放送システムについて、図面を参照しながら説明する。但し、第１、第２の実施の形態によるマルチ放送システムと同じ符号を付したものについては説明を省略する。図３に示すように、本実施の形態によるマルチ放送システムにおいて、符号２００５は放送衛星２００６に放送データを送信するための地上設備であり、放送衛星２００６は地上設備2005から送られてきた放送データを移動端末２００１に送信するための放送衛星である。放送局2003から送信される放送データは、地上設備２００５を経由して放送衛星２００６に送られる。放送衛星２００６は、放送データを地上に送信する。地上の移動端末２００１は、放送衛星２００６からの電波を受信し、放送局２００３から送られてきたコンテンツを表示・再生する。図３中、放送局２００３、地上設備２００５、放送衛星２００６は、それぞれ１つのみが示されているが、それぞれ複数の放送局２００３、地上設備２００５、衛星放送２００６が存在することもある。GPSの衛星２００２についても１つのみが示されているが、一般的には複数のGPS衛星が存在し、移動端末２００１はそれらのGPS衛星２００２の電波を受信することで精度の良い測位を行うことができる。
【００２８】
図３に示したマルチ放送システムにより、放送局２００３から放送された放送データを移動端末２００１が受信し、またGPS２００２を使ったシステムにより移動端末２００１の位置を測位する。また、受信した放送データから表示するデータ放送又は映像又は音声又はそれらを組み合わせたものを移動端末２００１の位置情報に基づいて選択し、移動端末２００１の表示部に表示させる。
【００２９】
本実施の形態によるマルチ放送システムによれば、放送衛星２００６からの放送データのうちから、適切なコンテンツを、GPS２００２に基づいて得られた移動端末２００１の位置情報に基づいて決定するため、放送衛星２００６からのコンテンツについてユーザ自らが選択することなく、移動端末に表示させることができる。尚、図３中では測位の方法としてGPSを用いた方法が示されているが、DGPSを用いた方法を用いることも可能である。
【００３０】
次に、本発明の第４の実施の形態によるマルチ放送システムについて図面を参照しつつ説明を行う。
【００３１】
図４は、本実施の形態によるマルチ放送システムの構成例を示す図である。図４に示すように、本実施の形態によるマルチ放送システムは、放送局２００３と、電波塔２００４と、移動端末２００１と、移動端末２００１と通信を行う基地局２００７と、を有している。本実施の形態によるマルチ放送システムにおいては、位置を測位する方法として、移動端末２００１と基地局２００７との位置関係により求める方法を用いる例を示している。移動端末２００１と固定された位置情報を有する基地局２００７との位置関係により、移動端末２００１の位置を測ることが可能である。
【００３２】
例えば、図１３に示すように、３つの基地局１３Ａ、１３Ｂ、１３Ｃと移動端末１３Ｄとが存在する場合を仮定する。基地局１３Ａ、１３Ｂ、１３Ｃは、それぞれ正確な位置が把握できており、それぞれの基地局１３Ａ、１３Ｂ、１３Ｃと、移動端末１３Ｄとの間で無線電波のやり取りが行われる。そして、図１４に示すように、それぞれの基地局１３Ａ、１３Ｂ、１３Ｃから移動端末１３Ｄまでの電波の到達時間によって到達距離を測定することができる。従って、それぞれの基地局１３Ａ、１３Ｂ、１３Ｃから移動端末１３Ｄまでの距離を測定することによって、移動端末１３Ｄの位置を計算することができる。
【００３３】
尚、図４中、放送局２００３、電波塔２００４はそれぞれ１つのみ描画されているが、通常は複数の放送局、電波塔が存在する。また、基地局２００７は２つのみ描画されているが、通常はさらに複数の基地局が存在し、携帯端末２００１の位置情報を精度良く測るようになっている。
【００３４】
以上に説明したように、本実施の形態によるマルチ放送システムにより、放送局から放送されたデータ放送を移動端末が受信し、基地局との位置関係により移動端末の位置を測位する。また、受信した放送データから表示するデータ放送又は映像又は音声又はそれらを組み合わせたものを移動端末の位置情報を利用して選択し、移動端末の表示部に表示させることができる。
【００３５】
尚、図４に示した構成例では、マルチ放送システムとして、ディジタル地上波放送システムを例にして説明したが、放送衛星を使用した放送システムに置き換えることも可能である。
【００３６】
以上において説明した図１から図４までに示したマルチ放送システムにおいて、受信した複数の映像又は音声又はデータ放送又はそれらを組み合わせたものから移動端末上で測位した位置情報に基づいて実際に移動端末に表示するものを決定する方法を、あらかじめ移動端末の中に組み込んでおくことも可能であるが、放送局からコンテンツとして放送されるデータ放送の中に組み込むことも可能である。
【００３７】
また、そのデータ放送コンテンツをBMLで記述することも可能である。図１０は、放送局から送信されるデータ放送のデータの例を示す図である。図１０に示す例は、BMLのドキュメント形式で記載されたデータの例である。図１０に示す例は、サッカーの放送が移動端末に表示される映像を、スタジアムの観客席の位置によって複数の映像中から切り替える例を示す図である。データ放送として図１０に示すようなドキュメントが放送局から放送され、移動端末に提示される。図１０に示すドキュメントでは、例えば移動端末の表示画面上に”CLICK HERE”と記載された操作ボタンが表示され、そのボタンを選択すると、図１０内の符号４００１により示された枠内のEcmaScriptの関数が実行され、測位システムにより測られた移動端末の位置に基づいて、放送された映像を選択する。
【００３８】
この例では、まず映像を移動端末上に表示するか否かを決める。表示されていなければ（”hidden”）表示を行ない（”visible”）、表示されていれば表示を行わないようにする。次にECMA Scriptの拡張関数である、X_DPA_getCurPos()が実行される。この関数は移動端末の位置を測位し、緯度と経度との配列データをリターン値とする。そして、緯度と経度との値を数値に変換し、その値がスタジアムの観客席の位置（アウェイゴール裏か（AwayStandLatitude1, AwayStandLatitude2, AwayStandLongitude1, AwayStandLongitude2で示される）、ホームゴール裏か（HomeStandLatitude1, HomeStandLatitude2, HomeStandLongitude1, HomeStandLongitude2で示される）、メインスタンドか（MainStandLatitude1, MainStandLatitude2, MainStandLongitude1, MainStandLongitude2で示される）、バックスタンド（BackStandLatitude1, BackStandLatitude2, BackStandLongitude1, BackStandLongitude2で示される））によって映像が選択され（"arib://-1,-1,-1/10”又は、”arib://-1,-1,-1/20”又は、”arib://-1,-1,-1/30”又は、arib://-1,-1,-1/40”）、画面に表示される。移動端末の位置がスタンド内になければ、例えばデフォルトの映像が選択される（”arig://-1,-1,-1/-1”）ようにすることができる。
【００３９】
図５（Ａ）は、サッカースタジアムの概略図を示す図である。本実施の形態によるマルチ放送システムにおいては、サッカーのグラウンド５−１を見ており移動端末を保持している利用者が座るスタンドの位置（アウェイゴール裏５−４、ホームゴール裏５−５、メインスタンド５−２、バックスタンド５−３）によって、このゲームの内容を中継している放送の複数の、映像又は音声又はデータ放送又はそれらを組み合わせたものを選択し、携帯端末に提示する。携帯端末に提示される内容を選択する方法の例は図１に示されている。図５（Ｂ）は、これを簡単化した図である。図５（Ｂ）に示すように、ユーザ位置が○×サッカー場であり、端末詳細位置が５−２の場合には、メインスタンドから見ているユーザに相応しい放送５ａ、例えば、位置５−２からサッカーのグラウンド５−１を見る方向から映像が表示されたり、特にホーム／アウェイにとらわれない中立的な放送５ａが選択される。端末詳細位置がバックスタンド５−３の場合には、それに相応しい放送５ｂ、例えば、位置５−３からサッカーのグラウンド５−１を見る方向から映像が表示されたり、特にホーム／アウェイにとらわれない中立的な放送５ｂが選択される。端末詳細位置がアウェイゴール裏５−４の場合には、それに相応しい放送５ｃ、例えば、位置５−４からサッカーのグラウンド５−１を見る方向から映像が表示されたり、特にアウェイ側を応援する放送５ｃが選択される。端末詳細位置がホームゴール裏５−５の場合には、それに相応しい放送５ｄ、例えば、位置５−５からサッカーのグラウンド５−１を見る方向から映像が表示され、特にホーム側を応援する放送５ｄが選択される。
【００４０】
以上のように、特にユーザが移動端末を操作しなくても、移動端末の位置に基づいて、適切なコンテンツを推測してコンテンツの選択が行われるため、ユーザは特に煩わしい操作を行わなくても良いという利点がある。
【００４１】
図６は、野球のスタジアムの概略図である。本実施の形態によるマルチ放送システムに用いられる携帯端末を保持している利用者が、野球のスタジアムにおいて座る位置（スタンドの３塁側６−４、ネット裏６−３、１塁側６−２、レフト方向外野６−５、ライト方向外野６−６）によって、このゲームの内容を中継している放送の複数の、映像又は音声又はデータ放送又はそれらを組み合わせたものを、位置に応じて６ａから６ｅまでのいずれかを選択し、移動端末に対して提示する。例えば、移動端末の位置が３塁側６−４の場合には、ビジター側を応援した放送が選択され、移動端末に提供されるようにする。尚、例えば、移動端末が途中で移動した場合には、新たな位置情報に基づいて新たな放送が提供されるようにしても良いし、最初に選択された放送を変更せずに提供するようにしても良い。尚、ここでは、サッカーと野球についてのスポーツの放送について説明をしたが、その他のスポーツ放送でも同様である。
【００４２】
図７は、競馬場Ｄの概略図を示す図である。本実施の形態によるマルチ放送システムによる移動端末を保持している利用者がいる位置（スタンド６−４、馬場内投票所６−２、パドック前６−５）によって、競馬の内容を中継している複数の放送の、映像又は音声又はデータ放送又はそれらを組み合わせたもののいずれかを選択し、移動端末に提示する。移動端末が、例えばパドック６−５前に位置している場合には、パドックを見ている人向けの放送６ａが、スタンド６−４に位置している場合には、コースを見ている人向けの放送６ｂが、馬券投票所６−２に位置している場合には、馬券に関する情報を欲している人向けの放送が行われるようにすると良い。
【００４３】
次に、本発明の第１から第４の実施の形態による移動端末における処理手順の流れについて図面を参照しながら説明する。図８は、本発明の第１から第４までの実施の形態に示した移動端末の処理手順を示すフローチャート図である。図８に示すように、ステップＳ３００１において、移動端末は放送データを受信する。次にステップＳ３００２において、測位情報を取得し、自己の位置情報を得る。次に、ステップＳ３００３において、取得した位置情報を利用して、受信した放送データから端末に表示するコンテンツ（映像又は音声又はデータ放送又はそれらを組み合わせたもの）のうち適切なコンテンツを選択する。次にステップＳ３００４において、選択されたコンテンツを移動端末に提示する。
【００４４】
以上の処理に基づいて、放送局から放送された複数のコンテンツ（映像又は音声又はデータ放送又はそれらを組み合わせたもの）を受信し、測位情報に基づいて、上記受信したそれらのコンテンツのうちからユーザにとって適切と推定される所望のコンテンツを選択して端末に提示する。
【００４５】
次に、本発明の第１から第４までのそれぞれの実施の形態による移動端末の処理手順の別の例を図面を参照しつつ説明する。図９は、本発明の第１から第４までの実施の形態による移動端末の処理手順を示すフローチャート図である。尚、図８と同じ符号を付したステップについては説明を省略する。
【００４６】
図９に示すように、ステップＳ３００１を実行した後、ステップＳ３０１１において、移動端末に表示するコンテンツ（映像又は音声又はデータ放送又はそれらを組み合わせたもの）を利用者が指定するのか否かを判定する。ステップＳ３０１１において、ＮＯであれば、次にステップＳ３００２を実行する。ＹＥＳであれば、次にステップＳ３０１２を実行する。ステップＳ３０１２において、利用者が端末に提示するコンテンツを選択し、ステップＳ３００４に進む。
【００４７】
以上のフローチャートにより、放送局から放送された複数のコンテンツを受信し、コンテンツの選択を利用者が行わない場合には、測位情報を使って受信したそれらのコンテンツから所望のコンテンツを選択して端末に提示ことができる。
【００４８】
従って、ユーザは特に自己で選択しなくても、移動端末の位置に基づいて自動的に適切な放送を選択する処理を行うため、ユーザの放送選択の手間が省け、操作性が向上するという利点がある。
【００４９】
尚、上記各実施の形態においては、端末として移動端末を例にして説明したが、一般的には固定して用いられる端末を対象にすることも可能である。この場合にも、引っ越しなどにより端末が移動する場合があり、位置情報が重要になってくる場合もある。
【産業上の利用可能性】
【００５０】
本発明は、番組放送を視聴できる移動端末を含む放送システムに利用可能である。
【図面の簡単な説明】
【００５１】
【図１】本発明の第１の実施の形態によるマルチ放送システムの一構成例を示すブロック図である。
【図２】本発明の第２の実施の形態によるマルチ放送システムの構成例を示す図である。
【図３】本発明の第３の実施の形態によるマルチ放送システムの構成例を示す図である。
【図４】本発明の第４の実施の形態によるマルチ放送システムの構成例を示す図である。
【図５】図５（Ａ）は、サッカースタジアムの概略図を示す図である。図５（Ｂ）は、端末詳細位置と番組候補との関係を示す図である。
【図６】図６（Ａ）は、野球場の概略図を示す図である。図６（Ｂ）は、端末詳細位置と番組候補との関係を示す図である。
【図７】図７（Ａ）は、競馬場の概略図を示す図である。図７（Ｂ）は、端末詳細位置と番組候補との関係を示す図である。
【図８】本実施の形態による移動端末の処理手順を示すフローチャート図である。
【図９】本実施の形態による移動端末の処理手順を示したフローチャート図である。
【図１０】データ放送で送信されるBMLドキュメントの構成例を示す図である。
【図１１】データ放送で送信されるBMLドキュメントの構成例を示す図である。
【図１２】従来の技術を実施した場合の表示画面例を示す図である。
【図１３】基地局と移動端末との位置関係を利用して移動端末の位置を測位する例を示す図である。
【図１４】基地局と移動端末との位置関係を利用して移動端末の位置を測位する例を示す図である。
【符号の説明】
【００５２】
1001…放送システム、1002…移動端末、1003…測位システム、2001…移動端末、2002…GSP衛星、2003…放送局、2004…ディジタル地上波を放送する電波塔、2005…放送データを衛星に送信する地上設備、2006…放送衛星、2007…基地局。
【図１】
2006229867.tif 000003
【図２】
2006229867.tif 000004
【図３】
2006229867.tif 000005
【図４】
2006229867.tif 000006
【図５】
2006229867.tif 000007
【図６】
2006229867.tif 000008
【図７】
2006229867.tif 000009
【図８】
2006229867.tif 000010
【図９】
2006229867.tif 000011
【図１０】
2006229867.tif 000012
【図１１】
2006229867.tif 000013
【図１２】
2006229867.tif 000014
【図１３】
2006229867.tif 000015
【図１４】
2006229867.tif 000016